(57)【要約】【課題】シャフトに必要な上下方向の緩衝作用を確保しつつ、部品点数を削減でき、ガタツキが発生しにくい表面実装機の部品保持ヘッドを提供すること。【解決手段】シャフト２０がヘッド本体１０のシャフトハウジング２３に位置決めされた上で昇降可能かつ軸周りに回転可能に装着され、シャフト２０の下端に部品を保持する部品保持具３０が装着される表面実装機の部品保持ヘッドにおいて、保持具３０はシャフト２０の下端に固定し、シャフトハウジング２３より上方に、シャフト２０の上昇に対して反発する弾性力を及ぼす緩衝部材２９を設けた。【選択図】図１
2014110342.tif 000002
【特許請求の範囲】
【請求項１】
シャフトがヘッド本体のシャフトハウジングに位置決めされた上で昇降可能かつ軸周りに回転可能に装着され、前記シャフトの下端に部品を保持する部品保持具が装着される表面実装機の部品保持ヘッドにおいて、
前記保持具は前記シャフトの下端に固定し、前記シャフトハウジングより上方に、前記シャフトの上昇に対して反発する弾性力を及ぼす緩衝部材を設けたことを特徴とする表面実装機の部品保持ヘッド。
【請求項２】
前記シャフトが、前記シャフトハウジングを貫通する下部シャフトと、前記シャフトハウジングより上方で前記下部シャフトに接続された上部シャフトとからなり、前記下部シャフトと前記上部シャフトとの接続部分に前記緩衝部材を設けた請求項１に記載の表面実装機の部品保持ヘッド。
【発明の詳細な説明】
【技術分野】
【０００１】
本発明は、ＩＣチップ等の部品を基板上に実装する表面実装機において、部品を保持する部品保持具を有する部品保持ヘッドに関する。
【背景技術】
【０００２】
表面実装機は、ノズル等の部品保持具を有する部品保持ヘッドにより、部品を部品供給部からピックアップし、そのまま部品を保持して基板上に移送し、基板上の所定位置に実装するように構成されている。
【０００３】
かかる部品保持ヘッドとしては、そのヘッド本体に複数のシャフトがそれぞれ軸線周りのＴ方向に回転可能かつ軸線方向に沿ったＺ方向に移動可能に装着され、シャフトの下端にノズル等の部品保持具が装着された構成を有するものが知られている（例えば特許文献１）。
【０００４】
従来、シャフトの下端に部品保持具としてのノズルを装着する構成としては、ノズルをノズルホルダに装着し、そのノズルホルダをシャフトの先端に装着するという構成が知られている（例えば特許文献２）。このようなノズルホルダを使用した構成では、ノズル交換時や部品吸着時などに発生するシャフト軸に沿った上方向の力を緩衝するために、ノズルとノズルホルダとの間、あるいはノズルホルダとシャフト下端との間に緩衝部材として圧縮バネを介在させるようにしている。すなわち、圧縮バネがシャフトの上昇に対して反発する弾性力を及ぼすことで、ノズル交換時や部品吸着時などの過負荷や衝撃を緩衝するようにしている。
【０００５】
しかし、上記従来の構成では、シャフトとノズルとの間にノズルホルダが介在するので、その分、部品点数が増えてしまう。また、ノズルとノズルホルダとの間、あるいはノズルホルダとシャフト下端との間に圧縮バネを介在させ、それらの上下方向の動きを許容する必要があるので、ノズルとノズルホルダとの間、あるいはノズルホルダとシャフト下端との間でそれぞれ幾何公差や寸法公差を確保する必要がある。その結果、それぞれの幾何公差や寸法公差が累積し、作動時にガタツキが発生するという問題が生じる。
【先行技術文献】
【特許文献】
【０００６】
【特許文献１】特開２０１０−１５７６３５号公報
【特許文献２】特開２００８−３００５９８号公報
【発明の概要】
【発明が解決しようとする課題】
【０００７】
本発明が解決しようとする課題は、シャフトに必要な上下方向の緩衝作用を確保しつつ、部品点数を削減でき、ガタツキが発生しにくい表面実装機の部品保持ヘッドを提供することにある。
【課題を解決するための手段】
【０００８】
本発明の一観点によれば、シャフトがヘッド本体のシャフトハウジングに位置決めされた上で昇降可能かつ軸周りに回転可能に装着され、前記シャフトの下端に部品を保持する部品保持具が装着される表面実装機の部品保持ヘッドにおいて、前記保持具は前記シャフトの下端に固定し、前記シャフトハウジングより上方に、前記シャフトの上昇に対して反発する弾性力を及ぼす緩衝部材を設けたことを特徴とする表面実装機の部品保持ヘッドが提供される。
【発明の効果】
【０００９】
本発明によれば、部品保持具はシャフトの下端に固定しているので、部品保持具とシャフト下端との間に幾何公差や寸法公差を確保する必要がなく、幾何公差や寸法公差の累積によるガタツキの発生を防止できる。また、従来のノズルホルダを省略できるので、部品点数も削減できる。
【００１０】
一方、本発明では、シャフトに必要な上下方向の緩衝作用は緩衝部材で確保している。この緩衝部材はシャフトを位置決めするシャフトハウジングより上方に配置しているので、シャフトの位置精度に影響を及ぼすことはなく、シャフト先端の部品保持具のガタツキの原因となることもない。したがって、高い位置決め精度を有する表面実装機の部品保持ヘッドが得られる。
【図面の簡単な説明】
【００１１】
【図１】本発明の一実施例による部品保持ヘッドの要部を示す断面図である。
【図２】図１の部品保持ヘッドにおけるシャフト構造体を示す斜視図である。
【図３】図２に示すシャフト構造体の内部構造を示す、一部透視による斜視図である。
【図４】図３において上部シャフトと下部シャフトを分離した状態を示す斜視図である。
【図５】本発明の他の実施例を示す説明図である。
【発明を実施するための形態】
【００１２】
以下、本発明の実施の形態を図面に示す実施例に基づき説明する。
【００１３】
図１は、本発明の一実施例による部品保持ヘッドの要部を示す断面図である。
【００１４】
表面実装機の部品保持ヘッドのヘッド本体１０に、上部シャフト２１と下部シャフト２２とからなるシャフト２０が、シャフト２０の軸方向に沿って昇降可能かつシャフト２０の軸周りに回転可能に装着されている。そして、下部シャフト２２の下端に、電子部品を吸着し保持する部品保持具としてノズル３０がノズルホルダを介することなく直接固定されている。
【００１５】
下部シャフト２２の内部にはエア通路２２ａが形成されている。エア通路２２ａは、その一端が、後述するシャフトハウジング２３に設けたエア供給口２３ａを介してヘッド本体１０に設けられた吸排気口１１に通じ、他端がノズル３０に通じている。また、吸排気口１１には、自動制御される吸排気系が接続される。これにより、ノズル３０が部品を吸着するときには吸排気口１１からエア供給口２３ａ及びエア通路２２ａを介してノズル３０に負圧が供給され、部品を実装するときには微正圧が供給される。
【００１６】
図２は、先に説明したシャフト２０を主体とするシャフト構造体を示す斜視図、図３は、そのシャフト構造体の内部構造を示す、一部透視による斜視図、図４は、図３において上部シャフト２１と下部シャフト２２を分離した状態を示す斜視図である。図１及び図２〜４を参照してシャフト構造体の構成を説明する。
【００１７】
上部シャフト２１と下部シャフト２２とからなるシャフト２０のうち、下部シャフト２２がシャフトハウジング２３を貫通して装着され位置決めされる。上部シャフト２１は、シャフトハウジング２３より上方で下部シャフト２１に接続される。
【００１８】
上部シャフト２１には一対のベアリング２１ａが固定されており、この一対のベアリング２１ａをシャフトハウジング２３の上方に設けたガイド筒２４に形成したガイド溝２４ａに嵌め込んでいる。これにより、シャフト２０は、ガイド溝２４ａの範囲内でシャフトハウジング２３に対して摺動可能（昇降可能）となっている。一方、シャフト２０は、シャフトハウジング２３に対して軸線周りには回転できない。すなわち、シャフト２０は、シャフトハウジング２３が軸線周りに回転したときに、シャフトハウジング２３と一体となって軸線周りに回転する。
【００１９】
シャフトハウジング２３は、ヘッド本体１０に対して、上下方向には移動不可（昇降不可）であるが、シャフト２０の軸線周りには回転可能となるように上下２箇所のベアリング２５を介して装着されている。シャフトハウジング２３をシャフト２０の軸線周りに回転させるために、シャフトハウジング２３の外周にギア２６が設けられている。ギア２６は、トーションばねを使用したバックラッシュレスギアであり、シャフト２０（下部シャフト２２）に固定した固定ギア２６ａと、この固定ギア２６ａに重ねられる揺動ギア２６ｂとの間に、トーションばね２６ｃを組み込んだものである。このギア２６に、駆動モータに連結された駆動ギアを噛み合わせ駆動ギアを回転させることで、シャフトハウジング２３は、ヘッド本体１０に対してシャフト２０の軸線周りに回転する。これにより、シャフト２０もシャフトハウジング２３と一体となって軸線周りに回転する。
【００２０】
また、シャフトハウジング２３には、下部シャフト２２に設けたエア通路２２ａにエアを供給するエア供給口２３ａが設けられている。エア供給口２３ａは、ヘッド本体１０に設けられた吸排気口１１に通じており、エア供給口２３ｂから供給されるエアは、図４に符号２２ａ−１で示したエア通路の入口を通じてエア通路２２ａに供給される。
【００２１】
なお、シャフトハウジング２３がヘッド本体１０に対して軸線周りに回転するときの回転摺動面２３ｂは、メカニカルシールされている。また、シャフト２０がシャフトハウジング２３に対して昇降するときの昇降摺動面２０ａもメカニカルシールされている。
【００２２】
シャフト２０の上部シャフト２１の上部外周を囲むようにコイルスプリング２７が配置されている。コイルスプリング２７は、上部シャフト２１の外周に設けられたスプリングベース２１ｂに支持されており、図２に示すシャフト構造体が図１に示すようにヘッド本体１０に装着された状態において、シャフト２０にこれを上方に摺動させる方向の力を作用させる。したがって、シャフト２０は常時はその上限位置に付勢されている。シャフト２０を下降させるときは、上部シャフト２１の上端に固定されたシャフトヘッド２１ｃの上方に位置する押圧部材２８を押し下げる。これにより、シャフト２０がコイルスプリング２７の弾性力に抗して下降する。
【００２３】
次に、上部シャフト２１と下部シャフト２２との接続構造について説明する。本発明において、下部シャフト２２は上部シャフト２１に対して着脱可能に装着される。その具体的な接続構造として、本実施例では図４に明確に現れているように、下部シャフト２２の上端部分に円柱状の挿入部２２ｂを形成し、この挿入部２２ｂの外周面に１８０度間隔で２箇所にジョイントピン２２ｃを突出して設けている。一方、上部シャフト２１の下端部分には、挿入部２２ｂを挿入可能な中空状の受部２１ｄを設け、この受部２１ｄにジョイントピン２２ｃを嵌め込み可能なジョイント溝２１ｅを設けている。ジョイント溝２１ｅの基端は、ジョイントピン２２ｃを嵌め込めるように開放している。
【００２４】
以上の構成において、図３の拡大図に示すように、上部シャフト２１の受部２１ｄに下部シャフト２２の挿入部２２ｂを挿入し、ジョイントピン２２ｃがジョイント溝２１ｅの基端に嵌り込む位置まで下部シャフト２２をＡ方向に押し込み、次いでＢ方向に回転させ、更にＣ方向に引っ張る。これにより、ジョイントピン２２ｃがジョイント溝２１ｅに確実に嵌り込み、上部シャフト２１に下部シャフト２２が装着される。そして、上記と逆の手順により、上部シャフト２１から下部シャフト２２を取り外すことができる。
【００２５】
本実施例では、下部シャフト２２と上部シャフト２１との接続部分、具体的には下部シャフト２２の挿入部２２ｂの下側に緩衝部材として圧縮バネからなるコイルスプリング２９を装着している。このコイルスプリング２９は、下部シャフト２２を上部シャフト２１に上述の手順で装着して接続した状態において、下部シャフト２２を上部シャフト２１に対して下方に引っ張る力を作用させる。このコイルスプリング２９の作用により、下部シャフト２２を上部シャフト２１に装着した状態では、図３の拡大図に示すように、ジョイントピン２２ｃがジョイント溝２１ｅの壁に突き当たる位置に付勢される。したがって、上部シャフト２１に対する下部シャフト２２の軸方向（長手方向）の位置が固定され、シャフト２０全体としての長さを一定に保つことができる。
【００２６】
一方で、コイルスプリング２９は、ノズル交換時や部品吸着時などに発生するシャフト２０の軸線に沿った上方向の力を緩衝する作用を奏する。すなわち、コイルスプリング２９は、シャフト２０（下部シャフト２２）の上昇に対して反発する弾性力を及ぼす。これにより、下部シャフト２２の下端にノズル３０を固定していても、ノズル交換時や部品吸着時などに発生するシャフト２０の軸線に沿った上方向の力を緩衝することができる。
【００２７】
図５は、本発明の他の実施例を示す説明図である。本実施例では、シャフト４０上端のシャフトヘッド４１と、シャフトヘッド４１に対して昇降可能に装着されたキャップ４２との間に緩衝部材として圧縮バネからなるコイルスプリング４３を配置している。本実施例のシャフト４０は、先の実施例のように上部シャフトと下部シャフトには分割されておらず一本のシャフトである。したがって、先の実施例におけるコイルスプリング２９は存在しないが、図５に示すコイルスプリング４１が先の実施例のコイルスプリング２９と同様の作用を奏する。
【符号の説明】
【００２８】
１０  ヘッド本体
１１  吸排気口
２０  シャフト
２０ａ  昇降摺動面
２１  上部シャフト
２１ａ  ベアリング
２１ｂ  スプリングベース
２１ｃ  シャフトヘッド
２１ｄ  受部
２１ｅ  ジョイント溝
２２  下部シャフト
２２ａ  エア通路
２２ａ−１  エア通路の入口
２２ｂ  挿入部
２２ｃ  ジョイントピン
２３  シャフトハウジング
２３ａ  回転摺動面
２３ｂ  エア供給口
２４  ガイド筒
２４ａ  ガイド溝
２５  ベアリング
２６  ギア
２６ａ  固定ギア
２６ｂ  揺動ギア
２６ｃ  トーションばね
２７  コイルスプリング
２８  押圧部材
２９  コイルスプリング（緩衝部材）
３０  ノズル
４０  シャフト
４１  シャフトヘッド
４２  キャップ
４３  コイルスプリング（緩衝部材）
【図１】
2014110342.tif 000003
【図２】
2014110342.tif 000004
【図３】
2014110342.tif 000005
【図４】
2014110342.tif 000006
【図５】
2014110342.tif 000007